(57)【要約】【課題】本発明はコントラストを向上させるプラズマディスプレイパネルの駆動方法に関する。【解決手段】 本発明のプラズマディスプレイパネルでは維持放電パルス電圧が印加されるＸ電極とＹ電極の間に中間電極（Ｍ電極）。そして、中間電極（Ｍ電極）にリセット波形及びスキャンパルス電圧を印加する。ここで、リセット期間の下降波形期間（III−１）極のうちの一つの電極にだけＶｘｅまたはＶｙｅ電圧を印加する。これによって下降波形期間の発光量を１/２に減らし維持放電しない放電セルの輝度を減少させることによってコントラストを向上させる。【選択図】図７
2005165269.tif 000002
【特許請求の範囲】
【請求項１】
維持放電電圧パルスが各々印加される第１電極及び第２電極と、前記第１電極及び第２電極の間に形成される第３電極を含むプラズマディスプレイパネルの駆動方法において、
リセット期間中に、
（ａ）前記第３電極に第１電圧から第２電圧まで漸次に下降する電圧を印加する段階と、
（ｂ）前記漸次に下降する電圧が印加する間に、前記第１電極に前記第２電圧より大きい第３電圧を印加する段階と、
（ｃ）前記漸次に下降する電圧が印加する間に、前記第２電極に前記第３電圧より低い第４電圧を印加する段階と、
を有することを特徴とするプラズマディスプレイパネルの駆動方法。
【請求項２】
前記第４電圧は接地電圧であることを特徴とする請求項１に記載のプラズマディスプレイパネルの駆動方法。
【請求項３】
前記第４電圧は負の電圧レベルであることを特徴とする請求項１に記載のプラズマディスプレイパネルの駆動方法。
【請求項４】
維持放電期間で、前記第２電極に第１維持放電パルス電圧を印加することを特徴とする請求項１または請求項２に記載のプラズマディスプレイパネルの駆動方法。
【請求項５】
アドレス期間で、前記第１電極に前記第３電圧をバイアスさせることを特徴とする請求項１または請求項２に記載のプラズマディスプレイパネルの駆動方法。
【請求項６】
アドレス期間で、前記第１電極に前記第４電圧以上の電圧をバイアスさせることを特徴とする請求項１または請求項２に記載のプラズマディスプレイパネルの駆動方法。
【請求項７】
第１基板及び第２基板と、
前記第１基板に各々形成される第１電極と第２電極と、
前記第１電極と第２電極の間に形成される第３電極と、
前記第２基板に形成され、前記第１電極、前記第２電極及び前記第３電極と交差する方向に形成されたアドレス電極と、
隣接した前記第１電極、前記第２電極、前記第３電極及び前記アドレス電極によって形成される放電セルを含むプラズマディスプレイパネルの前記放電セルを放電させるために前記第１電極、第２電極、第３電極及びアドレス電極に駆動電圧を供給する駆動回路を含み、
前記駆動回路はリセット期間中に、前記第３電極に第１電圧から第２電圧まで緩慢に下降する電圧を印加し、前記第１電極に前記第２電圧より大きい第３電圧を印加し、前記第２電極に前記第３電圧より低い第４電圧を印加することを特徴とするプラズマ表示装置。
【請求項８】
前記第４電圧は接地電圧であることを特徴とする請求項７に記載のプラズマ表示装置。
【請求項９】
前記第４電圧は負の電圧レベルであることを特徴とする請求項７または請求項８に記載のプラズマ表示装置。
【請求項１０】
維持放電期間で、前記第２電極に第１維持放電パルス電圧を印加することを特徴とする請求項７または請求項８に記載のプラズマ表示装置。
【請求項１１】
維持放電電圧パルスが各々印加される第１電極及び第２電極と、前記第１電極及び第２電極の間に形成される第３電極を含むプラズマディスプレイパネルの駆動方法において、
（ａ）第１サブフィールドのリセット期間中に、
前記第１電極（Ｘ）に第１電圧及び前記第２電極Ｙに前記第１電圧より大きい第２電圧をバイアスした状態で、前記第３電極に前記第１電圧より大きい第３電圧から第４電圧まで時間によって変わる、下降する電圧を印加する段階と、
（ｂ）第２サブフィールドのリセット期間中に、
前記第１電極（Ｘ）に前記第４電圧より大きい第５電圧及び前記第２電極Ｙに前記第５電圧より低い第６電圧をバイアスした状態で、前記第３電極に前記第６電圧より大きい第７電圧から第８電圧まで時間によって変わる、下降する電圧を印加する段階と、
を有することを特徴とするプラズマディスプレイパネルの駆動方法。
【請求項１２】
前記第１サブフィールドは第１フレームに含まれ、前記第２サブフィールドは第２フレームに含まれることを特徴とする請求項１１に記載のプラズマディスプレイパネルの駆動方法。
【請求項１３】
所定のフレーム単位で前記段階（ａ）と段階（ｂ）が交互に動作することを特徴とする請求項１２に記載のプラズマディスプレイパネルの駆動方法。
【請求項１４】
前記第１及び第２サブフィールドは一つのフレーム内に含まれるサブフィールドであり、サブフィールド単位で前記段階（ａ）及び段階（ｂ）が交代に動作することを特徴とする請求項１１に記載のプラズマディスプレイパネルの駆動方法。
【請求項１５】
前記第１電圧と前記第６電圧は同一な電圧レベルであり、前記第２電圧と前記第５電圧は同一な電圧レベルであることを特徴とする請求項１１に記載のプラズマディスプレイパネルの駆動方法。
【発明の詳細な説明】
【技術分野】
【０００１】
本発明はプラズマディスプレイパネル（ＰＤＰ）の駆動方法とこの方法を用いるプラズマ表示装置に係り、特に、放電状態の改善に関する。
【背景技術】
【０００２】
最近、液晶表示装置（ＬＣＤ）、電界放出表示装置（ＦＥＤ）、プラズマディスプレイパネルなどの平面表示装置が活発に開発されている。これらの平面表示装置の中でプラズマディスプレイパネルは他の平面表示装置に比べて輝度及び発光効率が高くて視野角が広いという長所がある。従って、プラズマディスプレイパネルが４０インチ以上の大型表示装置で従来の陰極線管（ＣＲＴ）を代替する表示装置として脚光を浴びている。
【０００３】
プラズマディスプレイパネルは気体放電によって生成されたプラズマを用いて文字または映像を表示する平面表示装置として、その大きさに応じて数十から数百万個以上の画素がマトリックス形態に配列されている。このようなプラズマディスプレイパネルは印加される駆動電圧波形の形態と放電セルの構造によって直流型と交流形に区分される。
【０００４】
直流型プラズマディスプレイパネルは、電極が絶縁されないまま放電空間に露出されていて、電圧が印加される間は継続して、電流が放電空間にそのまま流れるようになり、このために電流制限のための直列抵抗を形成させることに要する短所がある。これに対し、交流型プラズマディスプレイパネルでは、電極を誘電体層が覆っていて自然な直列キャパシタンス成分の形成で電流が制限されて放電時においてイオンの衝撃から電極が保護されるので、直流型に比べて寿命が長いという長所がある。
【０００５】
図１０は従来の交流型プラズマディスプレイパネルの一部斜視図であり、図１１は図１０に示されたプラズマディスプレイパネルの断面図である。
【０００６】
図１０及び図１１を参照すると、 第１ガラス基板１１１の下側に第１の誘電体層１１４及び保護膜１１５で覆われたＸ電極１０３及びＹ電極１０４が対になって平行に設置されている。この時、Ｘ電極及びＹ電極は透明導電性物質からなる。Ｘ電極及びＹ電極１０３、１０４の表面には金属物質からなるバス電極１０６が各々形成される。
【０００７】
第２ガラス基板１１２の上には複数のアドレス電極１０５が設置され、アドレス電極１０５は第２の誘電体層１１４’ により覆われている。アドレス電極１０５の間にある誘電体層１１４’の上にはアドレス電極１０５と平行に隔壁１１７が形成されている。また、誘電体層１１４’の表面及び隔壁１１７の両側面に蛍光体１１８が形成されている。第１ガラス基板１１１と第２ガラス基板１１２はＹ電極１０４とアドレス電極１０５、及びＸ電極１０３とアドレス電極１０５が直交するように放電空間１１９を隔てて対向して配置されている。下方のアドレス電極１０５と、上方のＹ電極１０４・Ｘ電極１０３対との交差部分にある放電空間１１９が放電セルを形成する。
【０００８】
図１２は従来型プラズマディスプレイパネルの電極配列図を示す。図１２に示したように、従来型プラズマ表示装置の電極はｍ×ｎのマトリックス構成を有している。列方向にアドレス電極（Ａ１〜Ａｍ）が配列されていて行方向にｎ行のＹ電極（Ｙ１〜Ｙｎ）及びＸ電極（Ｘ１〜Ｘｎ）がジグザグに配列されている。図１２に示された放電セル１２０は図１０に示された放電セルに対応する。
【０００９】
図１３は従来のプラズマディスプレイパネルの駆動波形図である。この波形を用いたプラズマディスプレイパネルの駆動方法によると、各サブフィールドはリセット期間、アドレス期間、維持期間からなる。
【００１０】
前記リセット期間は以前の維持放電の壁電荷状態を消去し、次のアドレス放電を安定的に遂行するために壁電荷をセットアップ（所定の状態に形成）する役割を果たす。前記アドレス期間はパネル内の発光セルと発光しないセルを区別して発光セル（アドレシングされたセル）に壁電荷を積む動作を行う期間である。前記維持期間はＸ電極及びＹ電極に維持放電電圧を交代に印加し、アドレシングされたセルに実際に画像を表示するための放電を遂行させる期間である。
【００１１】
以下、従来のプラズマ表示装置駆動方法について、リセット期間の動作をより詳細に説明する。まず図１３の波形図に従って、リセット期間を消去期間、Ｙランプ上昇期間及びＹランプ下降期間に細分化する。
【００１２】
（１）消去期間（I）  
この期間には、Ｘ電極に一定の電位（Ｖｂｉａｓ）を印加た状態で、Ｙ電極に維持放電電圧（Ｖｓ）から接地電位までゆっくり下降する下降ランプを印加し、以前の維持期間で形成された壁電荷を除去する。
【００１３】
（２）Ｙランプ上昇期間（II）  
この期間にはアドレス電極及びＸ電極を０Ｖに維持し、Ｙ電極に電圧Ｖｓから電圧Ｖｓｅｔに向かってなだらかに上昇するランプ電圧を印加する。このランプ電圧が上昇する間に全ての放電セルではＹ電極からアドレス電極及びＸ電極に各々微弱なリセット放電が起こる。その結果、Ｙ電極に（-）壁電荷が蓄積され、同時にアドレス電極及びＸ電極に（+）壁電荷が蓄積される。
【００１４】
（３）Ｙランプ下降期間（III）  
次に、リセット期間の後半にはＸ電極を定電圧Ｖｂｉａｓに維持した状態で、Ｙ電極に電圧Ｖｓから接地電圧に向かってなだらか（漸次）に下降するランプ電圧を印加する。このランプ電圧が下降する間、再び全ての放電セルで微弱なリセット放電が起こる。
【００１５】
一方、維持放電期間ではＸ電極及びＹ電極に同一な維持放電電圧を交代に印加し、アドレシングされたセルに実際に画像を表示するための維持放電を遂行する。この時、維持放電期間にＸ電極及びＹ電極に印加される波形は対称的な波形が印加されるのが好ましい。
【発明の開示】
【発明が解決しようとする課題】
【００１６】
しかしながら、従来のプラズマ表示装置では前述のように、リセット期間において、Ｙ電極に印加される波形（Ｙ電極にはリセット及びスキャンのための波形が追加的に印加される）とＸ電極に印加される波形が異なるので、Ｙ電極を駆動するための回路とＸ電極を駆動するための回路が違う。これにより、Ｘ電極及びＹ電極の駆動回路がインピーダンスマッチングにならず、維持放電期間でＸ電極及びＹ電極に交代に印加される波形が歪曲されて放電不良が発生する問題点が発生する。
【００１７】
また、従来のプラズマディスプレイパネルによると、アドレス期間後、第１維持放電パルス印加時の放電セル内に十分なプライミング電荷が生成されていないために、放電不良が発生する問題点があった。
【００１８】
本発明が解決しようとする技術的課題は、前記従来技術の問題点を解決するためのものであって、放電不良を防止するためのプラズマディスプレイパネル及びその駆動方法を提供することにある。  
また、リセット期間に発生するリセット光の量を減少させてコントラストを向上させるプラズマディスプレイパネルの駆動方法を提供することである。
【課題を解決するための手段】
【００１９】
前記目的を達成するための本発明の特徴によるプラズマディスプレイパネルの駆動方法は、維持放電電圧パルスが各々印加される第１電極及び第２電極と、前記第１電極及び第２電極の間に形成される第３電極を含むプラズマディスプレイパネルの駆動方法において、リセット期間中に、（ａ）前記第３電極に第１電圧から第２電圧までなだらかに下降する電圧を印加する段階;（ｂ）前記なだらかに下降する電圧が印加される間に、前記第１電極に前記第２電圧より大きい第３電圧を印加する段階;及び（ｃ）前記なだらかに下降する電圧が印加される間に、前記第２電極に前記第３電圧より低い第４電圧を印加する段階を含むことを特徴とするプラズマディスプレイパネルの駆動方法。
【００２０】
本発明の他の特徴によるプラズマ表示装置は、第１基板及び第２基板;前記第１基板に各々形成される第１電極と第２電極;前記第１電極と第２電極の間に形成される第３電極;前記第２基板に形成され、前記第１電極、前記第２電極及び前記第３電極と交差する方向に形成されたアドレス電極;及び隣接した前記第１電極、前記第２電極、前記第３電極及び前記アドレス電極によって形成される放電セルを含むプラズマディスプレイパネルの前記放電セルを放電させるために前記第１電極、第２電極、第３電極及びアドレス電極に駆動電圧を供給する駆動回路を含み、前記駆動回路はリセット期間中に、前記第３電極に第１電圧から第２電圧までなだらかに下降する電圧を印加し、前記第１電極に前記第２電圧より大きい第３電圧を印加し、前記第２電極に前記第３電圧より低い第４電圧を印加することを特徴とするプラズマ表示装置。
【００２１】
本発明の他の特徴によるプラズマディスプレイパネルの駆動方法は、維持放電電圧パルスが各々印加される第１電極及び第２電極と、前記第１電極及び第２電極の間に形成される第３電極を含むプラズマディスプレイパネルの駆動方法において、（ａ）第１サブフィールドのリセット期間中に、前記第１電極（Ｘ）に第１電圧を印加すると共に前記第２電極（Ｙ）に前記第１電圧より大きい第２電圧を印加した状態で、前記第３電極に前記第１電圧より大きい第３電圧から第４電圧まで時間によって変化し、下降する電圧を印加する段階;（ｂ）第２サブフィールドのリセット期間中に、前記第１電極（Ｘ）に前記第４電圧より大きい第５電圧を印加すると共に前記第２電極（Ｙ）に前記第５電圧より低い第６電圧を印加した状態で、前記第３電極に前記第６電圧より大きい第７電圧から第８電圧まで時間によって変化し、下降する電圧を印加する段階を含むことを特徴とするプラズマディスプレイパネルの駆動方法。
【００２２】
前記第１サブフィールドは第１フレームに含まれ、前記第２サブフィールドは第２フレームに含まれ、所定のフレーム単位で前記段階（ａ）と段階（ｂ）が交代に動作することを特徴とするプラズマディスプレイパネルの駆動方法。前記第１及び第２サブフィールドは一つのフレームの内に含まれる連続するサブフィールドであり、サブフィールド単位で前記段階（ａ）及び段階（ｂ）が交代に動作することを特徴とするプラズマディスプレイパネルの駆動方法。
【発明の効果】
【００２３】
本発明によると、Ｘ電極とＹ電極の間に中間電極を形成して中間電極にリセット波形及びスキャン波形を印加し、Ｘ電極及びＹ電極に維持放電電圧波形を印加することによって、放電不良を防止できる。  
また、リセット期間の下降波形期間にＸ電極とＹ電極のうちの一つの電極のみにＶｘｅまたはＶｙｅ電圧を印加することによって下降波形期間の発光量（放電量）を１/２に減らすことができる。これを通じて、リセット期間の下降波形期間で発生する発光量を減らすことによって維持放電しない放電セルの輝度を減少させてコントラス比を向上できる。
【発明を実施するための最良の形態】
【００２４】
下記では添付した図面を参考として本発明の実施例に対して本発明の属する技術分野における通常の知識を有する者が容易に実施できるように詳細に説明する。しかし、本発明は多様な異なる形態で実現できてここで説明する実施例に限定されない。図面から本発明を明確に説明するために説明と関係ない部分は省略した。明細書の全体を通じて類似部分については同一図面符号を付けた。
【００２５】
次に、本発明の実施例に対して添付した図面を参照して詳細に説明する。
【００２６】
図１は本発明の実施例によるプラズマディスプレイパネルの電極配列図を示す。図１に示したように、本発明の実施例によるプラズマディスプレイパネルは、列方向にアドレス電極（Ａ１〜Ａｍ）が平行に配列されていて、行方向にはｎ行のＹ電極（Ｙ１〜Ｙｎ）、Ｘ電極（Ｘ１〜Ｘｎ）及び２ｎ-１行の中間電極（以下、´Ｍ電極´）が配列されている。つまり、本発明の実施例によると、Ｙ電極とＸ電極の中間にＭ電極が配列されていて、Ｙ電極、Ｘ電極、Ｍ電極及びアドレス電極が一つの放電セルを構成する４電極構造を有する。
【００２７】
この時、本発明の実施例によると、Ｘ電極及びＹ電極は主に維持放電電圧波形を印加するための電極の役割を果たし、Ｍ電極は主にリセット波形及びスキャンパルス電圧を印加するための役割を果たす。
【００２８】
図２は本発明の実施例によるプラズマディスプレイパネルの斜視図であり、図３は図２に示したプラズマディスプレイパネルの断面図である。
【００２９】
図２及び図３を参照すると、本発明の実施例によるプラズマディスプレイパネルは第１基板４１及び第２基板４２を備える。第１基板４１の下側表面にはＸ電極５３とＹ電極５４が１本づつ対になって平行に形成される。また、Ｘ電極５３とＹ電極５４の表面にはバス電極４６が形成される。Ｘ及びＹ電極５３、５４の下側には第１誘電体層４４と保護膜４５が順次に形成される。
【００３０】
一方、第２基板４２の上側表面にはアドレス電極５５が形成され、 アドレス電極５５の上部には第２誘電体層４４’が形成される。第２誘電体層４４’の上部には隔壁４７が形成されるので、隔壁４７の間に放電空間４９であるセルが形成される。隔壁４７の間のセル空間で隔壁４７の表面には蛍光体４８が塗布される。Ｘ及びＹ電極５３、５４はアドレス電極５５に対して相互直角で形成される。
【００３１】
この時、本発明の実施例によると、第１基板４１の下側表面に形成された一対のＸ電極５３とＹ電極５４の間に中間電極５６が形成される。前述したように、この中間電極には主にリセット波形及びスキャン波形が印加される。中間電極５６の表面にはバス電極４６が形成される。
【００３２】
以下、説明するプラズマディスプレイパネルの駆動方法は、一つのサブフィールド期間内にリセット期間、アドレス期間及び維持期間を含む。そして、プラズマディスプレイパネルに所定の波形で、Ｘ電極に駆動電圧を印加するＸ電極駆動回路（図示せず）、Ｙ電極に駆動電圧を印加するＹ電極駆動回路（図示せず）、アドレス電極（Ａ）に駆動電圧を印加するアドレス駆動回路（図示せず）及びＭ電極に駆動電圧を印加するＭ電極駆動回路（図示せず）が連結される。このような駆動回路とプラズマディスプレイパネルが連結されて一つのプラズマ表示装置を構成する。
【実施例１】
【００３３】
図４は本発明の第１実施例によるプラズマ表示装置の駆動波形図であり、図５（Ａ）乃至図６は図４に示した駆動波形による壁電荷の分布を示す図面である。
【００３４】
以下、図４、図５（Ａ）乃至図６を参照して本発明の第１実施例による駆動方法を説明する。図４に示した本発明の第１実施例による駆動方法によると、各サブフィールドはリセット期間、アドレス期間、維持放電期間からなる。
【００３５】
本発明の実施例によると、リセット期間は消去期間(I)、Ｍ電極上昇波形期間(II)及びＭ電極下降波形期間(III)からなる。記号(I)、(II)及び(III)は図４のリセット期間時間軸上に表示されている。
【００３６】
（１-１）消去期間（I）  
この期間は以前の維持放電期間に形成された壁電荷を消去する役割を果たす。本発明の実施例によると、維持放電期間の最後の時点にＸ電極に維持放電電圧パルスが印加され、Ｙ電極にはＸ電極に印加された電圧より低い電圧（例えば、接地電圧）が印加されていたと仮定する。これにより、図５（Ａ）のように、Ｙ電極（Ｙ）及びアドレス電極（Ａ）には（+）壁電荷が形成され、Ｘ電極（Ｘ）及びＭ電極（Ｍ）には（-）壁電荷が形成されている。
【００３７】
消去期間では、Ｘ電極を接地電圧に、Ｙ電極を電圧Ｖｙｃにバイアスさせた状態で、Ｍ電極にＶｍｃ電圧を維持してから接地電圧まで緩慢に下降する波形（ランプ波形またはログ波形）を印加する。これによって、図５（Ａ）に示したように維持放電期間時に形成された壁電荷は消去される。
【００３８】
（１-２）Ｍ電極上昇波形期間（II）  
この期間は継続して、Ｘ電極及びＹ電極を接地電圧にバイアスさせた状態で、Ｍ電極には電圧Ｖｍｄを印加して直ちにＶｓｅｔまで緩慢に上昇し維持する波形（ランプ波形またはログ波形）を印加する。この上昇波形が印加される間、全ての放電セルではＭ電極からアドレス電極、Ｘ電極及びＹ電極に向かって各々微弱なリセット放電が起こる。その結果、図５（Ｂ）に示したように、Ｍ電極に（-）壁電荷が蓄積され、同時にアドレス電極、Ｘ電極及びＹ電極には（+）壁電荷が蓄積される。
【００３９】
（１-３）Ｍ電極下降波形期間（III）  
次に、リセット期間の後半に入り、Ｘ電極及びＹ電極を各々ＶｘｅとＶｙｅにバイアスさせた状態で、Ｍ電極を電圧Ｖｍｅに下げてから接地電圧に向かって緩慢に下降する波形（ランプ波形またはログ波形）を印加する。この時、Ｖｘｅ=Ｖｙｅ、Ｖｍｄ=Ｖｍｅに設定することが回路構成を簡単にできるという点で好ましいが、必ずこれに限るわけではない。
【００４０】
このランプ電圧が下降する間に再び全ての放電セルで微弱なリセット放電が起こる。この時、Ｍ電極下降波形期間はＭ電極上昇波形期間によって積まれた壁電荷をゆっくり（漸次）減少させるためのものであるから、下降波形の時間が長いほど（つまり、傾きを緩やかにするほど）減少する壁電荷量を精密に制御できるためにアドレス放電に有利である。
【００４１】
Ｍ電極に下降波形を印加した結果、全てのセルの各電極に積まれた壁電荷が均等に消去され、図５（Ｃ）に示されているようにアドレス電極には（+）壁電荷が蓄積され、同時にＸ電極、Ｙ電極及びＭ電極には（-）壁電荷が蓄積される。
【００４２】
（２）アドレス期間（スキャン期間）  
アドレス期間では複数のＭ電極をＶｓｃ電圧にバイアスさせた状態でＭ電極に順次にスキャンパルス電圧（例えば、接地電圧）を印加し、同時にアドレス電極には放電を望むセル（つまり、発光セル）にアドレスパルス電圧を印加する。この時、Ｘ電極は接地電圧に維持し、Ｙ電極には正電圧Ｖｙｅを印加する（つまり、Ｙ電極にＸ電極の電圧より高い電圧を印加する。）。
【００４３】
こうすると、Ｍ電極とアドレス電極の間の放電が起こりながら、放電がＸ電極及びＹ電極に拡張され、その結果、図５（Ｄ）に示したように、Ｘ電極及びＭ電極には（+）電荷が蓄積され、Ｙ電極及びアドレス電極には（-）壁電荷が蓄積される。
【００４４】
（３）維持放電期間  
本発明の実施例による維持放電期間によると、Ｍ電極を維持放電電圧Ｖｍにバイアスさせた状態で、Ｘ電極及びＹ電極に維持放電電圧パルスＶｓを交代に印加する。このような電圧の印加を通じてアドレス期間で選択された放電セルには維持放電が起こるようになる。
【００４５】
この時、本発明の実施例によると、維持放電初期と正常時点では互いに異なる放電メカニズムによって放電が生じるようになる。以下、説明の便宜上、維持放電初期に発生する放電をショートギャップ放電期間と称し、正常時点の放電をロングギャップ放電期間と称する。
【００４６】
（３-１）ショートギャップ放電期間  
維持放電の始まり期間では図６の（ａ）、（ｂ）に示したように、Ｘ電極に（+）電圧パルスが印加されてＹ電極に（-）電圧パルスが印加されるが（ここで、+及び-の符号はＸ電極に印加された電圧とＹ電極に印加された電圧の大きさを比較した相対的である概念であって、Ｘ電極に+パルス電圧が印加されたという意味はＸ電極にＹ電極より大きい電圧が印加されたということを意味する。）、同時にＭ電極に（+）電圧パルスが印加される。従って、Ｘ電極及びＹ電極の間でだけ放電が起こる従来とは違い、Ｘ電極/Ｍ電極とＹ電極との放電が起こるようになる。特に、本発明の実施例によると、Ｘ電極及びＹ電極の間の距離よりＭ電極とＹ電極の間の距離が更に近いために、Ｍ電極とＹ電極の間に印加される電界が更に大きくなる。従って、Ｍ電極とＹ電極の間の放電がＸ電極とＹ電極の間の放電より主導的な役割を果たす。このように、本発明の実施例では維持放電初期に相対的に距離が短いＭ電極とＹ電極の間の放電が主導的な役割を果たすとして、ショートギャップ放電だと称することである。
【００４７】
このように、本発明の実施例によると、維持放電初期に相対的に高い電界が印加されて遂行されるショートギャップ放電が発生するために、アドレス期間後、第１維持放電パルス印加時の放電セル内に十分なプライミング電荷が生成されていなくても十分な放電を遂行できる。
【００４８】
（３-２）ロングギャップ放電期間  
維持放電の第１維持放電パルス印加後には、Ｍ電極の電圧が一定の電圧（Ｖｓ）でバイアスされるために、Ｍ電極とＸ電極の間の放電またはＭ電極とＹ電極の間の放電（つまり、ショートギャップ放電）は放電に寄与する程度が小さくて主放電はＸ電極及びＹ電極の間の放電になって、結局、Ｘ電極及びＹ電極に交代に印加される放電パルス数により入力された映像を示すことができるようになる。
【００４９】
つまり、図６の（ｄ）に示したように、定常状態の維持放電期間ではＭ電極には（-）壁電荷が継続して蓄積され、Ｘ電極及びＹ電極には交代（-）壁電荷と（+）壁電荷が蓄積される。
【００５０】
このように本発明の実施例によると、維持放電初期にはＸ電極とＭ電極（またはＹ電極とＭ電極の間）のショートギャップ放電によって放電を遂行するためにプライミングパーティクルが少ない状態でも十分な放電を行い、正常な状態ではＸ電極及びＹ電極の間のロングギャップ放電によって放電を遂行するために安定的な放電を遂行できる。
【００５１】
また、本発明の実施例によると、Ｘ電極とＹ電極にほとんど対称的な電圧波形が印加されるために、Ｘ電極及びＹ電極を駆動するための回路をほとんど同一に設計できる。従って、Ｘ電極及びＹ電極の間の回路インピーダンスの差をほとんどなくすことができるために、維持放電期間でＸ電極及びＹ電極に印加されるパルス波形の歪曲を減少させて安定的な放電を図ることができる。
【００５２】
図４に示した本発明の第１実施例によると、Ｘ電極とＹ電極の波形は互いに前後が変わっても駆動ができ、また、アドレス期間でＸ電極とＹ電極との波形が互いに変わっても駆動ができる。
【００５３】
前述した本発明の第１実施例による駆動方法によると、Ｍ電極には主にリセット波形及びスキャンパルス波形が印加され、Ｘ電極及びＹ電極には主に維持電圧波形が印加される。この時、Ｍ電極に印加されるリセット波形は図４に示したリセット波形だけでなく様々な形態のリセット波形が印加できる。
【００５４】
ここで、前記で説明したように本発明の第１実施例に伴う駆動波形のリセット期間の後半、つまりＭ電極下降波形期間（III）にはＸ電極及びＹ電極を各々ＶｘｅとＶｙｅにバイアスさせた状態で、Ｍ電極に電圧Ｖｍｅから接地電圧に向かってなだらか（漸次）に下降する波形を印加する。この時、このランプ電圧が下降するＭ電極とＸ電極の間、Ｍ電極とＹ電極の間に微弱であったリセット放電が発生し、このリセット放電は全てのセルで放電する。このようなリセット放電は階調表現と関連なく、単にアドレス放電に有利であった壁電荷量を精密に制御するためのものである。しかしながら、本発明の第１実施例のようなＭ電極下降波形期間（III）には同時にＭ電極とＸ電極、Ｍ電極とＹ電極の間に放電が発生し、発光量が多くなりコントラストに不利な問題点が発生する。つまり、このようなリセット光はサステイン期間に発光しないセルの輝度を増加させてプラズマディスプレイパネルのコントラストを低下させる問題が発生する。
【００５５】
以下、前記本発明の第１実施例によるプラズマディスプレイパネルの駆動方法のＭ電極下降波形期間（I）で発生するリセット光の量を減らすプラズマディスプレイパネルの駆動方法に対して説明する。
【実施例２】
【００５６】
図７は本発明の第２実施例によるプラズマディスプレイパネルの駆動波形図である。図７に示したように本発明の第２実施例によるプラズマディスプレイパネルの駆動方法は下降波形期間（III-１）だけ第１実施例と異なるので、以下では、下降波形期間（III-１）に対してだけ説明する。
【００５７】
図７に示したように本発明の第２実施例による駆動方法のＭ電極下降波形期間（III-１）ではＹ電極だけをＶｙｅにバイアスさせた状態で、Ｍ電極に電圧Ｖｍｅから接地電圧に向かってなだらか（漸次）に下降する波形（ランプ波形またはログ波形）を印加する。この時、Ｘ電極は接地電圧にバイアスする。ここで、図７ではＸ電極に印加される電圧は接地電圧で示したが、負（-）の電圧を印加することもできる。つまり、Ｍ電極とＹ電極間に発光量（放電量）を減らすためのものであるから、Ｘ電極にＶｙｅより小さい電圧を印加することができることであり、図７ではＸ電極に接地電圧で示したが、これに限られるわけではない。
【００５８】
ここで、Ｙ電極だけをＶｙｅにバイアスさせＭ電極は接地電圧（または負の電圧）でバイアスさせるので、ランプ電圧が下降する間、Ｍ電極とＹ電極の間にだけ微弱な放電が発生してＭ電極とＸ電極間には放電が発生しない。これによって本発明の第２実施例によるＭ電極下降波形期間（III-１）には第１実施例より下降波形期間の発光量（放電量）を１/２に減らすことができる。
【実施例３】
【００５９】
図８は本発明の第３実施例によるプラズマディスプレイパネルの駆動波形図である。前記で説明したように本発明の実施例のような電極構造と駆動方法ではＸ電極とＹ電極の波形は前後が変わることができるが、図８は図７に示した駆動波形図でＸ電極とＹ電極が互いに前後が変わった場合の駆動方法を示したものである。つまり、図８は維持期間の最後の維持放電パルスがＸ電極で終わった場合に対するリセット下降期間（III-２）の発光量（放電量）を減らすプラズマディスプレイパネルの駆動方法を示す。従って、以下でもＭ電極下降波形期間（III-２）に対してだけ下記で説明する。
【００６０】
図８に示したように本発明の第３実施例による駆動方法のＭ電極下降波形期間（III-２）ではＸ電極だけをＶｘｅにバイアスさせた状態で、Ｍ電極に電圧Ｖｍｅから接地電圧に向かって緩慢に下降する波形（ランプ波形またはログ波形）を印加する。この時、Ｙ電極は接地電圧でバイアスする。ここで、図８でＹ電極に印加される電圧は接地電圧で示したが、負（-）の電圧を印加することもできる。つまり、Ｍ電極とＸ電極間に発光量（放電量）を減らすためのであるからＹ電極にＶｘｅより小さい電圧を印加することができることであり、図８ではＹ電極に接地電圧で示したが、これに限られるわけではない。
【００６１】
ここで、Ｘ電極だけをＶｘｅにバイアスさせＹ電極は接地電圧でバイアスさせるので、ランプ電圧が下降する間、Ｍ電極とＸ電極間にだけ微弱であった放電が発生してＭ電極とＹ電極間には放電が発生しない。これによって本発明の第３実施例によるＭ電極下降波形期間（III-２）には第１実施例より下降波形期間の発光量（放電量）を１/２に減らすことができる。
【００６２】
前記から分かるように本発明の第２及び第３実施例によるプラズマディスプレイパネルの駆動方法ではリセット期間の下降波形期間（III-１、III-２）にＸ電極とＹ電極のうちの一つの電極にだけＶｘｅまたはＶｙｅ電極を印加することによって下降波形期間の発光量（放電量）を１/２に減らすことができる。これによって、リセット期間の下降波形期間で発生する発光量を減らすことによって維持放電しない放電セルの輝度を減少させてコントラストを向上させる。
【００６３】
この時、 本発明の第２及び第３実施例による駆動方法では、リセット期間の下降波形期間において、Ｘ電極とＹ電極の中に一つの電極にだけＶｘｅまたはＶｙｅにバイアスさせることにより、Ｍ-Ｘ間またはＭ-Ｙ間のうちの一つで続いてリセット放電が発生してリセット光が目につく問題を生じることがある。しかし、フレーム単位またはサブフィールド単位で前記第２実施例と第３実施例による駆動波形は交互に印加されるので、リセット光が目につく問題を解決できる。つまり、フレーム単位またはサブフィールド単位で、Ｍ-Ｘ下降リセット放電またはＭ-Ｙ下降リセット放電が交互に発生するようにして下降リセット放電の光が目につく問題を解決できる。この時、交互に印加する方法としては、フレーム単位またはサブフィールド単位で周期的に印加できるだけでなく、非周期的に印加することもできる。
【実施例４】
【００６４】
図９は本発明の第４実施例によるプラズマディスプレイパネルの駆動波形図である。図９は前記で説明したようにサブフィールド単位でＭ-Ｙ下降リセット放電またはＭ-Ｘ下降リセット放電が交互に発生するようになっていることを示す図面である。
【００６５】
図９に示したように、第１サブフィールドでは図７のようにリセット下降期間でＭ-Ｙ間でだけリセット放電が発生し、第２サブフィールドでは図８のようにリセット下降期間でＭ-Ｘ間でだけリセット放電が発生するようにＸ電極またはＹ電極に適切な電圧をバイアスする。この時、図９に示した駆動波形図は、図７と図８を組合せたものであり、以下、具体的に説明する。また、先に説明したように、サブフィールド単位で交互に図９のような波形を印加することができるけれど、少し替えて、フレーム単位で下降リセット放電がＭ-ＸまたはＭ-Ｙ間に発生できるようにもできる。このようにフレーム単位またはサブフィールド単位で、Ｍ-Ｘ下降リセット放電またはＭ-Ｙ下降リセット放電が交互に発生するようにして下降リセット放電による光が目につく問題を解決できる。
【００６６】
以上で、本発明の好ましい実施例について詳細に説明したが、本発明の権利範囲はこれに限定されることなく、 請求の範囲で定義している本発明の基本概念を利用した種々の変形及び改良形態も、本発明の権利範囲に属するものである。
【図面の簡単な説明】
【００６７】
【図１】本発明の実施例によるプラズマディスプレイパネルの電極配列図である。
【図２】各々本発明の実施例によるプラズマディスプレイパネルの斜視図及び断面図である。
【図３】各々本発明の実施例によるプラズマディスプレイパネルの斜視図及び断面図である。
【図４】本発明の第１実施例によるプラズマディスプレイパネルの駆動波形図である。
【図５】（Ａ）乃至（Ｄ）本発明の第１実施例による駆動波形に基づいた壁電荷分布図である。
【図６】本発明の第１実施例による駆動波形に基づいた壁電荷分布図である。
【図７】本発明の第２実施例によるプラズマディスプレイパネルの駆動波形図である。
【図８】本発明の第３実施例によるプラズマディスプレイパネルの駆動波形図である。
【図９】本発明の第４実施例によるプラズマディスプレイパネルの駆動波形図である。
【図１０】従来型プラズマディスプレイパネルの斜視図である。
【図１１】図１０に示したプラズマディスプレイパネルの断面図である。
【図１２】従来型プラズマ表示装置の電極配列図である。
【図１３】従来型プラズマ表示装置の駆動波形図である。
【符号の説明】
【００６８】
４１  第１基板
４２  第２基板
４４  第１誘電体層
４４’  第２誘電体層 
４５  保護膜
４６  バス電極
４７  隔壁
４８  蛍光体
４９  放電空間
５３  Ｘ電極
５４  Ｙ電極
５５  アドレス電極
５６  中間電極
【図１】
2005165269.tif 000003
【図２】
2005165269.tif 000004
【図３】
2005165269.tif 000005
【図４】
2005165269.tif 000006
【図５】
2005165269.tif 000007
【図６】
2005165269.tif 000008
【図７】
2005165269.tif 000009
【図８】
2005165269.tif 000010
【図９】
2005165269.tif 000011
【図１０】
2005165269.tif 000012
【図１１】
2005165269.tif 000013
【図１２】
2005165269.tif 000014
【図１３】
2005165269.tif 000015